(57)【要約】【課題】  ドアミラーバイザに鏡面調整ユニットを組付ける作業を、工具設備等を不要として容易化しながらも、確実に、かつ最小の組付ガタで行うことを可能とした車両用サイドミラーを供給する。【解決手段】  車両後方視認用のミラー部材７０が、前記鏡面調整ユニット５０を介して、鏡面が車両後方を向く姿勢でドアミラーバイザ１２内部に支持される車両用サイドミラー１０において、前記ドアミラーバイザ１２内部に、前記鏡面調整ユニット５０を前記ドアミラーバイザ１２に接近させるように車両前方へ押し付けたときにその移動を許容するとともに、所定の組付位置まで来ると前記鏡面調整ユニット５０の車両後方への移動を阻止する係合部材２２と、自身が有する弾性によって、前記組付位置において前記鏡面調整ユニット５０を車両後方に付勢する弾性部材２０とを具備させる。【選択図】    図１
2006168674.tif 000002
【特許請求の範囲】
【請求項１】
車両後方視認用のミラー部材と、その鏡面角調整を行うための鏡面調整ユニットと、車体側に連結され、車両後方に向いた開口部を有するドアミラーバイザとを備え、前記ミラー部材は前記鏡面調整ユニットを介して、鏡面が車両後方を向く姿勢でドアミラーバイザ内部に支持される車両用サイドミラーであって、
前記ドアミラーバイザ内部には、前記鏡面調整ユニットを前記ドアミラーバイザに接近させるように車両前方へ押し付けたときにその移動を許容するとともに、所定の組付位置まで来ると前記鏡面調整ユニットの車両後方への移動を阻止する係合部材と、
自身が有する弾性によって、前記組付位置において前記鏡面調整ユニットを車両後方に付勢する弾性部材とが設けられていることを特徴とする車両用サイドミラー。
【請求項２】
請求項１記載の車両用サイドミラーにおいて、
前記係合部材及び弾性部材は、各々が前記ドアミラーバイザとの一体成形によって複数個配設され、
各係合部材は、車両前後軸直行方向に弾性変形可能な部分に設けられた係合爪が前記鏡面調整ユニット外周と係合するように形成されるとともに、
各弾性部材は、前記鏡面調整ユニットの車両前方側面を支持し、これを車両後方に付勢するように形成された板状の部材を有することを特徴とする車両用サイドミラー。
【請求項３】
請求項１又は２記載の車両用サイドミラーにおいて、
前記ドアミラーバイザ内部には車両後方に突出する複数の位置決めピンが設けられ、前記鏡面調整ユニットにはそれに対応して複数のピン穴が設けられるとともに、
前記位置決めピンの根元付近には前記ピン穴径よりも大きい外径を有する台座部が設けられていることを特徴とする車両用サイドミラー。
【発明の詳細な説明】
【技術分野】
【０００１】
本発明は、自動車等の車両に装備される、後方視認用のサイドミラーに関するものである。
【背景技術】
【０００２】
従来、自動車等の車両の外側部であって、運転者から目視し得る位置に鏡面を車両後方に向けて設けられる後方視認用のサイドミラーが知られている。かかる車両用サイドミラーは、ミラー部材と、その鏡面角調整を行うための鏡面調整ユニットと、車体側に連結され、車両後方に向いた開口部を有するドアミラーバイザとを備え、ミラー部材は鏡面調整ユニットを介して、鏡面が車両後方を向く姿勢でドアミラーバイザ内部に支持されるという基本構成を有している。
【０００３】
ここで、この車両用サイドミラーでは、ミラーの修理や交換のために、ミラー部材を車両後方へ引っ張ることで、ミラー部材を鏡面調整ユニットから取り外し可能となっているのが一般的である。ただし、このようにしてミラー部材を取り外す際には、鏡面調整ユニットがドアミラーバイザから外れることを防止する必要があるため、ドアミラーバイザと鏡面調整ユニットとの間に大きな組付力（締結力）を得る必要がある。従って、ドアミラーバイザと鏡面調整ユニットとは、例えばねじ締付による組付構造がよく用いられる。
【０００４】
しかしながら、ねじ締付による組付けでは組付工数を多く要し、工具設備も必要であるという欠点があった。このため最近では、組付けをより容易化するための構造として、例えば特許文献１に示されるように、係合爪を用いた組付構造が発明されている。
【０００５】
この特許文献１における組付手順について、図８を用いて模式的に説明する。この組付手順はまず、図８（ａ）において、鏡面調整ユニット１１０をドアミラーバイザ１００に接近させるよう車両前方に押し付ける。すると、図８（ｂ）のように、鏡面調整ユニット１１０に設けた係合爪１１２がドアミラーバイザに設けた突出部１０２を乗り越え、係合爪１１２と突出部１０２とが係合する。また同時に、鏡面調整ユニット１１０に設けた挿入筒１１４がドアミラーバイザ１００に設けた挿入突起１０４に嵌合されることにより、車両前後方向の固定がなされるというものである。
【０００６】
しかしながら、ドアミラーバイザ１００や鏡面調整ユニット１１０は一般には合成樹脂製の成形品であることから、ある程度の成形誤差が生じる。従って、実際には図８（ｃ）のように、挿入筒１１４がドアミラーバイザ１００に当接した状態において、係合爪１１２と突出部１０２との間及び、挿入筒１１４と挿入突起１０４との間に図示のＢ，Ｃ寸法のような隙間が生じる可能性がある。この隙間は車両前後方向の組付ガタとなるため、できる限り小さいことが好ましいが、あまり小さくしようとすると、逆に、挿入筒１１４が当接しているにもかかわらず、係合爪１１２や挿入筒１１４が半嵌合状態となってしまう不具合も起こり得る。
【特許文献１】特開２００４−３４７９４号公報
【発明の開示】
【発明が解決しようとする課題】
【０００７】
上記のように、特許文献１の組付構造では、組付ガタを最小にしつつ、鏡面調整ユニットとドアミラーバイザとを確実に嵌合させることが困難であった。
【０００８】
本発明は上記のような従来技術の問題に鑑み、ドアミラーバイザに鏡面調整ユニットを組付ける作業を、工具設備等を不要として容易化しながらも、確実に、かつ最小の組付ガタで行うことを可能とした車両用サイドミラーを供給することを目的とする。
【課題を解決するための手段】
【０００９】
上記課題を解決するために、本発明の車両用サイドミラーは、車両後方視認用のミラー部材と、その鏡面角調整を行うための鏡面調整ユニットと、車体側に連結され、車両後方に向いた開口部を有するドアミラーバイザとを備え、前記ミラー部材は前記鏡面調整ユニットを介して、鏡面が車両後方を向く姿勢でドアミラーバイザ内部に支持される車両用サイドミラーであって、前記ドアミラーバイザ内部には、前記鏡面調整ユニットを前記ドアミラーバイザに接近させるように車両前方へ押し付けたときにその移動を許容するとともに、所定の組付位置まで来ると前記鏡面調整ユニットの車両後方への移動を阻止する係合部材と、自身が有する弾性によって、前記組付位置において前記鏡面調整ユニットを車両後方に付勢する弾性部材とが設けられていることを特徴とするものである。
【００１０】
この車両用サイドミラーにおいて、前記係合部材及び弾性部材は、各々が前記ドアミラーバイザとの一体成形によって複数個配設され、各係合部材は、車両前後軸直行方向に弾性変形可能な部分に設けられた係合爪が前記鏡面調整ユニット外周と係合するように形成されるとともに、各弾性部材は、前記鏡面調整ユニットの車両前方側面を支持し、これを車両後方に付勢するように形成された板状の部材を有することとしてもよい。
【００１１】
さらに、前記ドアミラーバイザ内部には車両後方に突出する複数の位置決めピンが設けられ、前記鏡面調整ユニットにはそれに対応して複数のピン穴が設けられるとともに、前記位置決めピンの根元付近には前記ピン穴径よりも大きい外径を有する台座部が設けられていることとしてもよい。
【発明の効果】
【００１２】
本発明の車両用サイドミラーによれば、鏡面調整ユニットは、ドアミラーバイザ内部に設けられた弾性部材と係合部材によって固定されるため、ドアミラーバイザに鏡面調整ユニットを組付ける作業を、工具設備等を用いることなく簡単に行うことができる。
【００１３】
また、鏡面調整ユニットの車両前後方向の固定は、弾性部材が鏡面調整ユニットを車両後方へ付勢するとともに、それによる車両後方への移動を係合部材が阻止することにより、鏡面調整ユニットを弾性部材と係合部材との間に挟み込むようにして固定するため、組付ガタを生じることがない。しかも、弾性部材が鏡面調整ユニットを支持・付勢する位置は、自身が有する弾性によって、車両前後方向に変化することが可能であるため、成形誤差によって弾性部材と係合部材の車両前後方向の相対位置が多少ずれても、前記固定は確実に行われる。
【００１４】
さらに、ドアミラーバイザ内部に位置決めピンを設け、鏡面調整ユニットに前記位置決めピンが嵌挿されるピン穴を設ければ、鏡面調整ユニットの組付位置を案内できるとともに、鏡面調整ユニットの車両前後軸を中心とする回転方向の固定を行うことができる。また、位置決めピンの根元付近に設けられた台座部がストッパーの役目を果たし、組付作業者が必要以上に鏡面調整ユニットを車両前方へ押し付けることを阻止することにより、鏡面調整ユニットに押された弾性部材が過度に変形して破損（又は塑性変形）することを防止するため、作業者は安心確実に組付け作業を行うことができる。
【発明を実施するための最良の形態】
【００１５】
図１は、本発明に係る車両用サイドミラーの一実施形態を示す分解斜視図である。本図に示すように、車両用サイドミラー１０は、自動車等の車両の外側部であって、運転者から目視し得る位置に取り付けられて後方視認用に使用されるものであり、ミラー部材７０と、その鏡面角調整を行うための鏡面調整ユニット５０と、これらを収納するドアミラーバイザ１２とを備え、ミラー部材７０は鏡面調整ユニット５０を介して、ドアミラーバイザ１２内部に支持されるという基本構成を有している。
【００１６】
ドアミラーバイザ１２は、車両後方へ開口部１４を有する略箱状とされており、その内部に鏡面調整ユニット５０とミラー部材７０を内装するようになっている。このドアミラーバイザ１２は外枠１６と底面１８から成り、外枠１６は図の左方において図略のブラケット等を介して車体に連結されており、外枠１６の背面部（車両前方側面）は図略のカバー体によって覆われる構成となっている。底面１８には略逆Ｌ字形状を呈した穴２６が設けられており、車体側の電源から延設される図略のワイヤーハーネスが、この穴２６を貫通して鏡面調整ユニット５０に接続可能なようになっている。なお、本実施形態における鏡面調整ユニット５０は電動機構を採用しているが、必ずしも電動に限定されるものではない。
【００１７】
そして、底面１８には鏡面調整ユニット５０を支持・固定するための部材である複数の弾性部材２０（本実施形態では２０ａ〜２０ｃの３箇所）と、複数の係合部材２２（本実施形態では２２ａ〜２２ｄの４箇所）と、複数の位置決めピン２４（本実施形態では２４ａ，２４ｂの２箇所）が、ドアミラーバイザ１２との一体成形により配設されている。以下、図２を用いてこれらの形状を詳細に説明する。
【００１８】
弾性部材２０については、３箇所の弾性部材２０ａ〜２０ｃのうち、まず２０ａの拡大図を図２（ａ）に示す。図示のように、弾性部材２０ａはドアミラーバイザ１２の底面１８から車両後方に突設された土台部３４と、土台部３４に連設され、片持ち梁形状を呈するように車両前後軸直交方向に突設された板状の部材である梁部３６とから成る。梁部３６の自由端側には略半球形の支持部４０が設けられており、組付時には、この支持部４０で鏡面調整ユニット５０の裏面（車両前方側面）を支持する。すると梁部３６は車両前方に傾くように弾性変形するため、その反力によって鏡面調整ユニット５０が車両後方に付勢されるようになっている。また、図２（ｂ）は弾性部材２０ａを別の角度から見た斜視図であり、図示のように土台部３４には補強用のリブ３８が２枚設けられていて、梁部３６が荷重を受けて弾性変形しても、土台部３４は変形し難い構造となっている。
【００１９】
もう一つの弾性部材２０ｂの拡大図を図３に示す。図示のように、弾性部材２０ｂは２０ａとは異なり土台部３４を有さず、そのため底面１８に穴４２を設け、その箇所に直接梁部３６を形成している。なお、弾性部材２０ｃの構造は２０ｂと同様のため省略する。
【００２０】
上記によれば、弾性部材２０ａと２０ｂ（２０ｃ）では鏡面調整ユニット５０を支持する支持部４０の車両前後方向高さが、土台部３４の高さの分だけ異なる。これは、鏡面調整ユニット５０裏面の凹凸に応じて高さを変化させたものである。従ってその必要が無い場合は、全ての弾性部材を２０ａのような形状にしてもよいし、逆に２０ｂ（２０ｃ）のような形状にしてもよい。
【００２１】
係合部材２２については、４箇所の係合部材２２ａ〜２２ｄのうち２２ａ，２２ｂの拡大図を図２（ａ）に示す。なお、その他の係合部材２２ｃ，２２ｄも同様の形状である。図示のように、係合部材２２は略逆Ｊ字形状を呈して底面１８から突設される本体部３０と、その一部に形成された係合爪３２とから成る。組付時にはこの係合爪３２が鏡面調整ユニット５０外周に設けられたフランジ５２（図１）と係合して車両後方への移動を阻止し、前述のように鏡面調整ユニット５０を車両後方へ付勢する弾性部材２０との間で挟み込むようにして鏡面調整ユニット５０を固定する構成となっている。
【００２２】
位置決めピン２４については、２箇所の位置決めピン２４ａ，２４ｂのうち２４ａの拡大図を図３に示す。なお、もう一方の位置決めピン２４ｂも同様の形状である。図示のように、位置決めピン２４は、ドアミラーバイザ１２の底面１８から車両後方に円柱状に突出した形状を有しており、先端側のピン部４４と、根元側にあってピン部４４よりも大きい外径を有する台座部４６とから成る。組付時には、このピン部４４が、これに対応して鏡面調整ユニット５０に設けられたピン穴５４（図１）に嵌挿される。そして、もう一方の位置決めピン２４ｂと合わせて２箇所で嵌挿されることにより、鏡面調整ユニット５０の組付位置を案内するとともに、鏡面調整ユニット５０の車両前後軸を中心とする回転方向の固定が行われる。
【００２３】
また、台座部４６はピン部４４の外径よりも大きく、同時に鏡面調整ユニット５０のピン穴５４（図１）の穴径よりも大きい外径を有している。従って、組付時には、この台座部４６がストッパーの役目を果たし、それ以上鏡面調整ユニット５０が車両前方に移動することを阻止する構成となっている。
【００２４】
鏡面調整ユニット５０は、図１に示すように、正面視で略逆Ｌ字形状を呈し、最外周には周囲に突出して外周を帯状に囲むように形成されたフランジ５２を有している。組付時にはこのフランジ５２が係合部材２２と係合する構成となっている。また、フランジ５２には、車両前後方向に貫通したピン穴５４が２箇所設けられており、組付時にはこのピン穴５４に位置決めピン２４が嵌挿される。
【００２５】
また、鏡面調整ユニット５０には、ミラー部材７０と係合するピポット５６と、２箇所のアクチュエータ５８が備わっている。そして、鏡面調整ユニット５０内部に備わる図略の電動モータと所定の伝達機構により、２箇所のアクチュエータ５８がそれぞれ独立して車両前後方向に進退できるよう構成されている。
【００２６】
ミラー部材７０は、図１に示すように、ミラー７２と、ミラー７２をその反鏡面側を嵌め込むことにより支持するミラーホルダ７４とから成る。ミラーホルダ７４の裏面（車両前方側面）には前記ピポット５６及びアクチュエータ５８とそれぞれ係合する部分が形成されており、これによりミラー部材７０が鏡面調整ユニット５０に着脱可能に支持されるとともにドアミラーバイザ１２の開口部１４の内部に収納される。さらには、アクチュエータ５８の駆動により、ミラー部材７０の取付角度がドアミラーバイザ１２内に支持された状態で微調整されるようになっている。以上の構成によって本実施形態の車両用サイドミラー１０が形成される。
【００２７】
以上、本実施形態に係る車両用サイドミラー１０の構成要素を説明したが、これらは一例であって、その具体的構成は本発明の要旨を逸脱しない範囲で適宜変更可能である。例えば以下のような変形例が考えられる。
【００２８】
まず、弾性部材２０は、本実施形態では片持ち梁形状を呈した梁部３６により形成したが、これを図５に示すような両持ち梁形状を呈した部材１３６により形成してもよいし、図６に示すように複数の梁を放射状に配置し、それを中心で結合させるように設けられた部材２３６により形成してもよい。また、図７（ａ）の斜視図と、その断面図である図７（ｂ）に示すように、膜状の部材を形成するように廻りよりも板厚を薄くした部材３３６を設けることにより弾性を有するようにしてもよい。
【００２９】
その他の構成要素についても以下のような変形例が考えられる。まず、係合部材２２は、本実施形態ではドアミラーバイザ１２に設けたが、これを特許文献１のように、鏡面調整ユニット５０側に係合爪を設け、ドアミラーバイザ１２側にこれと係合する突出部を設けるようにしてもよい。また、鏡面調整ユニット５０には外周にフランジ５２を設けたが、これを省略して鏡面調整ユニット５０外周に直接係合部材２２を係合させるようにしてもよい。また、本実施形態では位置決めピン２４とピン穴５４で位置決めを行うようにしたが、これを平板と、これが嵌入するガイドレールをそれぞれドアミラーバイザ１２と鏡面調整ユニット５０のいずれかに設けることで位置決めを行うようにしてもよい。さらに、位置決めピン２４の台座部４６は、組付作業上問題なければ省略してもよい。
【００３０】
次に、本実施形態におけるドアミラーバイザ１２と鏡面調整ユニット５０の組付手順について、図４を用いて模式的に説明する。なお、図４ではドアミラーバイザ１２に設けられた複数の弾性部材２０，係合部材２２，位置決めピン２４について、図面の都合上それぞれ代表的な１箇所（２０ａ，２２ａ，２４ａ）のみを記載するが、他の箇所も同様の作用を発揮することは言うまでもない。
【００３１】
まず図４（ａ）において、鏡面調整ユニット５０をドアミラーバイザ１２の底面１８に接近させるように車両前方へ移動させる。このとき、位置決めピン２４が対応するピン穴５４に嵌挿されるように、鏡面調整ユニット５０をドアミラーバイザ１２に接近させれば、所定の組付位置に案内されるようになっている。
【００３２】
すると図４（ｂ）において、鏡面調整ユニット５０のフランジ５２が係合部材２２の係合爪３２斜面に当接する。そこからさらに鏡面調整ユニット５０を車両前方へ押し付けると、図示のように係合部材２２がＪの字の幅を押し狭められるように車両前後軸直行方向に弾性変形し、鏡面調整ユニット５０の車両前方への移動を許容する。
【００３３】
そして、さらに鏡面調整ユニット５０を押し付けると、図４（ｃ）のように、フランジ５２が係合爪３２を完全に乗り越える。これによって係合部材２２の弾性変形が解除され、係合爪３２がフランジ５２と係合し、鏡面調整ユニット５０が車両後方に移動することを阻止する。一方、この爪係合が完了する少し手前において、鏡面調整ユニット５０裏面（車両前方側面）は弾性部材２０の支持部４０に当接しているため、前記爪係合が完了した時点では、梁部３６が車両前方に傾くように弾性変形しており、この反力によって鏡面調整ユニット５０は支持部４０から車両後方に付勢力を受ける。このように、鏡面調整ユニット５０は、弾性部材２０によって車両後方へ付勢されるとともに、それによる車両後方への移動を係合部材２２によって阻止されることで、弾性部材２０と係合部材２２との間に挟み込まれるような状態になる。以上によって、鏡面調整ユニット５０の車両前後方向の固定が行われる。
【００３４】
そして同時に、２箇所の位置決めピン２４が、対応するピン穴５４に嵌挿される。これにより、鏡面調整ユニット５０の車両前後軸を中心とする回転方向の固定がなされる。以上の手順によって、鏡面調整ユニット５０は、車両前後方向、及びこれに直交するいずれの方向についても移動が阻止され、ドアミラーバイザ１２内に完全に固定される。
【００３５】
ここで、上記固定位置では図４（ｃ）のように、鏡面調整ユニット５０のフランジ５２と、位置決めピン２４の台座部４６との間に、図示のＡ寸法のような隙間が生じるようになっている。従って、組付けの際に作業者が鏡面調整ユニット５０を勢いよく車両前方へ押し付けると、上記固定位置を越えて、図４（ｄ）のようにフランジ５２が台座部４６に当接するまで、鏡面調整ユニット５０を車両前方へ押しやることもある。そのような場合弾性部材２０の変形が大きくなるが、それでも弾性部材２０が破損（又は塑性変形）しない程度に台座部４６の高さが設定されているため、作業者が鏡面調整ユニット５０を押し付ける力を緩めれば、弾性部材２０から受ける付勢力によって、鏡面調整ユニット５０は最終的に図４（ｃ）の固定位置に押し戻される。このように、組付時には台座部４６がストッパーの役目を果たし、弾性部材２０の破損（又は塑性変形）を防止するとともに、組付け作業を確実に行えるようにしている。
【００３６】
以上説明したように、本実施形態における車両用サイドミラー１０によれば、鏡面調整ユニット５０は、ドアミラーバイザ１２内部に設けられた弾性部材２０と係合部材２２によって固定されるため、ドアミラーバイザ１２に鏡面調整ユニット５０を組付ける作業を、工具設備等を用いることなく簡単に行うことができる。
【００３７】
また、鏡面調整ユニット５０の車両前後方向の固定は、弾性部材２０が鏡面調整ユニット５０を車両後方へ付勢するとともに、それによる車両後方への移動を係合部材２２が阻止することにより、鏡面調整ユニット５０を弾性部材２０と係合部材２２との間に挟み込むようにして固定するため、組付ガタを生じることがない。しかも、弾性部材２０が鏡面調整ユニット５０を支持・付勢する位置（支持部４０の位置）は、梁部３６が有する弾性によって、車両前後方向に変化することが可能であるため、成形誤差によって弾性部材２０と係合部材２２の車両前後方向の相対位置が多少ずれても、前記固定は確実に行われる。
【００３８】
さらに、位置決めピン２４とピン穴５４により、鏡面調整ユニット５０の組付位置を案内できるとともに、鏡面調整ユニット５０の車両前後軸を中心とする回転方向の固定を行うことができる。また、台座部４６がストッパーの役目を果たし、組付作業者が必要以上に鏡面調整ユニット５０を車両前方へ押し付けることを阻止することにより、鏡面調整ユニット５０に押された弾性部材２０が過度に変形して破損（又は塑性変形）することを防止するため、作業者は安心確実に組付け作業を行うことができる。
【図面の簡単な説明】
【００３９】
【図１】本発明の実施形態に係る車両用サイドミラーの分解斜視図である。
【図２】（ａ）は前記車両用サイドミラーにおける弾性部材、係合部材の詳細を示す斜視図、（ｂ）は前記弾性部材を別の角度から見た斜視図である。
【図３】図２とは別の箇所の弾性部材と、位置決めピンの詳細を示す斜視図である。
【図４】（ａ）〜（ｄ）は前記車両用サイドミラーにおいて、鏡面調整ユニットをドアミラーバイザに組付ける手順を模式的に示した図である。
【図５】前記弾性部材の変形例を示す斜視図である。
【図６】前記弾性部材の変形例を示す斜視図である。
【図７】（ａ）は前記弾性部材の変形例を示す斜視図、（ｂ）は断面図である。
【図８】（ａ）〜（ｃ）は従来の車両用サイドミラーにおいて、鏡面調整ユニットをドアミラーバイザに組付ける手順を模式的に示した図である。
【符号の説明】
【００４０】
１０    車両用サイドミラー
１２    ドアミラーバイザ
１４    開口部
２０    弾性部材
２２    係合部材
２４    位置決めピン
３２    係合爪
３６    梁部
４６    台座部
５０    鏡面調整ユニット
５４    ピン穴
７０    ミラー部材
【図１】
2006168674.tif 000003
【図２】
2006168674.tif 000004
【図３】
2006168674.tif 000005
【図４】
2006168674.tif 000006
【図５】
2006168674.tif 000007
【図６】
2006168674.tif 000008
【図７】
2006168674.tif 000009
【図８】
2006168674.tif 000010